(57)【要約】【課題】  全体ディスプレイ領域で輝度の均一性を向上させ、領域輝度制御のような光源技術を具現し、装置のスリム化を実現するバックライトユニット及びディスプレイ装置を提供することができる。【解決手段】  ディスプレイ装置において、ディスプレイパネルと；  前記ディスプレイパネルの分割された各ディスプレイ領域に光を出射する複数の導光板と；それぞれの導光板の側面に入射される光を生成し、導光板の側面に対応するように配置された複数の光源と；を含み、一つの導光板の側面に対応するように配置された複数の光源の中で少なくとも一部の光源による第１発光方向が、前記一つの導光板の側面に対応するように配置された複数の光源の中で残りの少なくとも一部の光源による第２発光方向と異なるように複数の光源が配置されたことを特徴とする。【選択図】      図４
2011023347.tif 000002
【特許請求の範囲】
【請求項１】
ディスプレイ装置において、
ディスプレイパネルと；
前記ディスプレイパネルの分割された各ディスプレイ領域に光を出射する複数の導光板と；
それぞれの前記導光板の側面に入射される前記光を生成し、前記導光板の側面に対応するように配置された複数の光源と；
を含み、
一つの前記導光板の側面に対応するように配置された複数の光源の中で少なくとも一部の光源による第１発光方向が、前記一つの導光板の側面に対応するように配置された複数の光源の中で残りの少なくとも一部の光源による第２発光方向と異なるように前記複数の光源が配置されたことを特徴とするディスプレイ装置。
【請求項２】
前記第１発光方向及び前記第２発光方向は、互いに対称的なことを特徴とする請求項１に記載のディスプレイ装置。
【請求項３】
前記各導光板の側面に従って直列に配置された複数の前記光源を有する光源モジュールを含み、
一つの前記光源モジュールは、前記第１発光方向に発光する少なくとも一つの前記光源と、前記第２発光方向に発光する少なくとも一つの前記光源を有することを特徴とする請求項１に記載のディスプレイ装置。
【請求項４】
前記複数の光源の配置順番に従って、一つまたは互いに隣接した二つ以上の前記光源を含む複数の光源ブロックが形成され、
隣接した二つの光源ブロックは、互いに異なる発光方向を有することを特徴とする請求項３に記載のディスプレイ装置。
【請求項５】
前記光源モジュールは、透明基板を含み、
前記複数の光源は、前記透明基板の少なくとも一側面に装着されることを特徴とする請求項３に記載のディスプレイ装置。
【請求項６】
前記透明基板は、前記複数の光源を駆動する透明な電気配線を含むことを特徴とする請求項５に記載のディスプレイ装置。
【請求項７】
前記複数の光源は、少なくとも一つ以上の前記光源を単位にする複数の光源グループに分かれ、
前記光源グループ別に輝度を調節して領域輝度制御（Ｌｏｃａｌ  Ｄｉｍｍｉｎｇ）を行う制御部をさらに含むことを特徴とする請求項１に記載のディスプレイ装置。
【請求項８】
前記光源は、発光ダイオード素子を含むことを特徴とする請求項１に記載のディスプレイ装置。
【請求項９】
ディスプレイ装置において、
映像を受信する映像受信部と；
前記映像受信部に受信される映像を処理する映像処理部と；
前記映像処理部によって処理される映像を表示するディスプレイパネルと；
前記映像を表示可能に前記ディスプレイパネルに光を供給するバックライトユニットと；
を含み、
前記バックライトユニットは、
前記ディスプレイパネルの分割された各ディスプレイ領域に光を出射する複数の導光板と；
それぞれの前記導光板の側面に入射される前記光を生成し、前記導光板の側面に対応するように配置された複数の光源と；
を含み、
一つの前記導光板の側面に対応するように配置された複数の光源の中で少なくとも一部の光源による第１発光方向が、前記一つの導光板の側面に対応するように配置された複数の光源の中で残りの少なくとも一部の光源による第２発光方向と異なるように前記複数の光源が配置されたことを特徴とするディスプレイ装置。
【請求項１０】
前記複数の光源は、少なくとも一つ以上の前記光源を単位にする複数の光源グループに分かれ、
前記バックライトユニットは、前記光源グループ別に輝度を調節して領域輝度制御を行う制御部をさらに含むことを特徴とする請求項９に記載のディスプレイ装置。  
【請求項１１】
前記複数の光源は、少なくとも一つ以上の前記光源を単位に配置順番に従って発光方向が交代で反対であることを特徴とする請求項９に記載のディスプレイ装置。
【請求項１２】
ディスプレイ装置において、
ディスプレイパネルと；
複数に分割された導光板と；
複数の光源を備え、前記分割された導光板の間に配置されて前記分割された導光板の側面に光を入射する光源モジュールと；
前記複数の光源の輝度を調節する制御部と；
を含み、
前記光源モジュールに備わる前記複数の光源は、少なくとも一つ以上の前記光源を単位に配置順番に従って発光方向が交代で反対であることを特徴とするディスプレイ装置。
【請求項１３】
前記複数の光源は、少なくとも一つ以上の前記光源を単位にする複数の光源グループに分かれ、
前記制御部は、前記光源グループ別に輝度を調節して領域輝度制御を行うことを特徴とする請求項１２に記載のディスプレイ装置。
【請求項１４】
一つの前記光源モジュールに備わる前記複数の光源は一列に配置されることを特徴とする請求項１２に記載のディスプレイ装置。
【請求項１５】
前記光源モジュールは、前記複数の光源に対する電気配線が形成された支持基板を含み、
前記複数の光源は、前記支持基板に直立して装着されることを特徴とする請求項１２に記載のディスプレイ装置。
【請求項１６】
前記複数の光源は、配置順番に従って少なくとも一つ以上の光源を単位にして交代で発光方向が互いに反対であることを特徴とする請求項１２に記載のディスプレイ装置。
【請求項１７】
前記複数の導光板の両端部に配置された光源モジュールをさらに含み、
前記複数の導光板の両端部に配置された光源モジュールに備わる複数の光源の発光方向が前記ディスプレイパネルのディスプレイ領域の中央軸に向かうことを特徴とする請求項１２に記載のディスプレイ装置。
【請求項１８】
前記光源モジュールは、透明基板を含み、
前記複数の光源は、前記透明基板の少なくとも一側面に装着されることを特徴とする請求項１２に記載のディスプレイ装置。
【請求項１９】
前記透明基板は、前記複数の光源を駆動する透明な電気配線を含むことを特徴とする請求項１８に記載のディスプレイ装置。
【請求項２０】
前記複数に分割された導光板は、行または列方向に分割されることを
特徴とする請求項１２に記載のディスプレイ装置。
【請求項２１】
テレビジョンにおいて、
放送信号を受信する受信部と；
前記受信部に受信された放送信号を映像に表示可能に処理する映像処理部と；
ディスプレイパネル及び前記ディスプレイパネルに光を供給するバックライトユニットを有し、前記映像処理部によって処理される映像を表示するディスプレイ部と；
を含み、
前記バックライトユニットは、
前記ディスプレイパネルの分割された各ディスプレイ領域に光を出射する複数の導光板と；
それぞれの前記導光板の側面に入射される前記光を生成し、前記導光板の側面に対応するように配置された複数の光源と；
を含み、
一つの前記導光板の側面に対応するように配置された複数の光源の中で少なくとも一部の光源による第１発光方向が、前記一つの導光板の側面に対応するように配置された複数の光源の中で残りの少なくとも一部の光源による第２発光方向と異なるように前記複数の光源が配置されたことを特徴とするテレビジョン。
【請求項２２】
前記第１発光方向及び前記第２発光方向は、互いに対称的なことを特徴とする請求項２１に記載のテレビジョン。
【請求項２３】
前記各導光板の側面に従って直列に配置された複数の前記光源を有する光源モジュールを含み、
一つの前記光源モジュールは、前記第１発光方向に発光する少なくとも一つの前記光源と、前記第２発光方向に発光する少なくとも一つの前記光源を有することを特徴とする請求項２１に記載のテレビジョン。
【請求項２４】
前記複数の光源の配置順番に従って、一つまたは互いに隣接した二つ以上の前記光源を含む複数の光源ブロックが形成され、
隣接した二つの光源ブロックは、互いに異なる発光方向を有することを特徴とする請求項２３に記載のテレビジョン。
【請求項２５】
前記光源モジュールは、透明基板を含み、
前記複数の光源は、前記透明基板の少なくとも一側面に装着されることを特徴とする請求項２３に記載のテレビジョン。
【請求項２６】
前記透明基板は、前記複数の光源を駆動する透明な電気配線を含むことを特徴とする請求項２５に記載のテレビジョン。
【請求項２７】
前記複数の光源は、少なくとも一つ以上の前記光源を単位にする複数の光源グループに分かれ、
前記光源グループ別に輝度を調節して領域輝度制御を行う制御部をさらに含むことを特徴とする請求項２１に記載のテレビジョン。
【請求項２８】
前記光源は、発光ダイオード素子を含むことを特徴とする請求項２１に記載のテレビジョン。
【発明の詳細な説明】
【技術分野】
【０００１】
本発明は、光源及び導光板によって画像を表示するための光を供給するディスプレイ装置に係り、詳しくは、装置のスリム化及び鮮明な画像画質を具現するための光源及び導光板を構成するディスプレイ装置に関する。
【背景技術】
【０００２】
一般的に、テレビジョン、モニター等のようなディスプレイ装置は、画像を表示するディスプレイパネルを備えることによって、放送信号または多様なフォーマットの画像データを表示することができる。このようなディスプレイパネルは、液晶パネル、プラズマパネル等のような多様な形式で具現されて各種のディスプレイ装置に適用されている。ここで、液晶パネル等のようにパネル自体的に光を生成することができない場合、ディスプレイ装置は光をパネルに供給するバックライトユニットを備える。
【０００３】
このようなディスプレイ装置のバックライトユニットは、光を形成する光源として、過去に一般的に採択された冷陰極蛍光ランプより、環境汚染、応答速度などの側面で優秀な特性を有する発光ダイオード素子を採択する比率が増加している。バックライトユニットは、このような光源の配置位置にしたがって、直下形及びエッジ形に分けることができる。
【０００４】
直下形バックライトユニットは、光源が液晶パネルの背面に従って平行に配置されることによって、各光源が前面のパネルに向かって直接に光を投射する。一方、エッジ形バックライトユニットは、光源がパネルのエッジに従ってバー（Ｂａｒ）形態に配置され、光源からの光が導光板を経てパネルに投射される構成である。
【０００５】
このような構成に従って、直下形バックライトユニットは、各光源が前面のパネルに向かって光を投射するので、領域輝度制御（Ｌｏｃａｌ  Ｄｉｍｍｉｎｇ）のような光源駆動技術の具現が容易であるが、光源がパネルの背面に配置されるのでディスプレイ装置のスリム化が困難である。一方、従来のエッジ形バックライトユニットは、光源がパネルの側面に配置されるので、ディスプレイ装置のスリム化は容易であるが、光源からの光が導光板を経てパネルに投射されるので領域輝度制御のような技術を具現することが困難である。
【発明の概要】
【発明が解決しようとする課題】
【０００６】
従って、本発明の目的は、全体ディスプレイ領域での輝度の均一性を向上させ、領域輝度制御のような光源技術を具現し、装置のスリム化を実現することができるバックライトユニット及びディスプレイ装置を提供することである。
【課題を解決するための手段】
【０００７】
本発明の実施形態によるディスプレイ装置は、ディスプレイパネルと；前記ディスプレイパネルの分割された各ディスプレイ領域に光を出射する複数の導光板と；それぞれの前記導光板の側面に入射される前記光を生成し、前記導光板の側面に対応するように配置された複数の光源と；を含み、一つの前記導光板の側面に対応するように配置された複数の光源の中で少なくとも一部の光源による第１発光方向が、前記一つの導光板の側面に対応するように配置された複数の光源の中で残りの少なくとも一部の光源による第２発光方向と異なるように前記複数の光源が配置されたことを特徴とする。
【０００８】
ここで、前記第１発光方向及び前記第２発光方向は、互いに対称的であることができる。
【０００９】
また、前記各導光板の側面に従って直列に配置された複数の前記光源を有する光源モジュールを含み、一つの前記光源モジュールは、前記第１発光方向に発光する少なくとも一つの前記光源と、前記第２発光方向に発光する少なくとも一つの前記光源を有することができる。
【００１０】
ここで、前記複数の光源の配置順番に従って、一つまたは互いに隣接した二つ以上の前記光源を含む複数の光源ブロックが形成され、隣接した二つの光源ブロックは、互いに異なる発光方向を有することができる。
【００１１】
また、前記光源モジュールは、透明基板を含み、前記複数の光源は、前記透明基板の少なくとも一側面に装着されることができる。
【００１２】
ここで、前記透明基板は、前記複数の光源を駆動する透明な電気配線を含むことができる。
【００１３】
また、前記複数の光源は、少なくとも一つ以上の前記光源を単位にする複数の光源グループに分かれ、前記光源グループ別に輝度を調節して領域輝度制御（Ｌｏｃａｌ  Ｄｉｍｍｉｎｇ）を行う制御部をさらに含むことができる。
【００１４】
また、前記光源は、発光ダイオード素子を含むことができる。
【００１５】
また、本発明の実施形態によるディスプレイ装置は、映像を受信する映像受信部と；前記映像受信部に受信される映像を処理する映像処理部と；前記映像処理部によって処理される映像を表示するディスプレイパネルと；前記映像を表示可能に前記ディスプレイパネルに光を供給するバックライトユニットと；を含み、前記バックライトユニットは、前記ディスプレイパネルの分割された各ディスプレイ領域に光を出射する複数の導光板と；それぞれの前記導光板の側面に入射される前記光を生成し、前記導光板の側面に対応するように配置された複数の光源と；を含み、一つの前記導光板の側面に対応するように配置された複数の光源の中で少なくとも一部の光源による第１発光方向が、前記一つの導光板の側面に対応するように配置された複数の光源の中で残りの少なくとも一部の光源による第２発光方向と異なるように前記複数の光源が配置されたことを特徴とする。
【００１６】
ここで、前記複数の光源は、少なくとも一つ以上の前記光源を単位にする複数の光源グループに分かれ、前記バックライトユニットは、前記光源グループ別に輝度を調節して領域輝度制御（Ｌｏｃａｌ  Ｄｉｍｍｉｎｇ）を行う制御部をさらに含むことができる。
【００１７】
また、前記複数の光源は、少なくとも一つ以上の前記光源を単位に配置順番に従って発光方向が交代で反対であることができる。
【００１８】
また、本発明の実施形態によるディスプレイ装置は、ディスプレイパネルと；複数に分割された導光板と；複数の光源を備え、前記分割された導光板の間に配置されて前記分割された導光板の側面に光を入射する光源モジュールと；前記複数の光源の輝度を調節する制御部と；を含み、前記光源モジュールに備わる前記複数の光源は、少なくとも一つ以上の前記光源を単位に配置順番に従って発光方向が交代で反対であることを特徴とする。
【００１９】
ここで、前記複数の光源は、少なくとも一つ以上の前記光源を単位にする複数の光源グループに分かれ、前記制御部は、前記光源グループ別に輝度を調節して領域輝度制御を行うことができる。
【００２０】
また、一つの前記光源モジュールに備わる前記複数の光源は一列に配置されることができる。
【００２１】
また、前記光源モジュールは、前記複数の光源に対する電気配線が形成された支持基板を含み、前記複数の光源は、前記支持基板に直立して装着されることができる。
【００２２】
また、前記複数の光源は、配置順番に従って少なくとも一つ以上の光源を単位にして交代で発光方向が互いに反対であることができる。
【００２３】
また、前記複数の導光板の両端部に配置された光源モジュールをさらに含み、前記複数の導光板の両端部に配置された光源モジュールに備わる複数の光源の発光方向が前記ディスプレイパネルのディスプレイ領域の中央軸に向かうことができる。
【００２４】
また、前記光源モジュールは、透明基板を含み、前記複数の光源は、前記透明基板の少なくとも一側面に装着されることができる。
【００２５】
ここで、前記透明基板は、前記複数の光源を駆動する透明な電気配線を含むことができる。
【００２６】
また、前記複数に分割された導光板は、行または列方向に分割されることができる。
【００２７】
また、本発明の実施形態によるテレビジョンは、放送信号を受信する受信部と；前記受信部に受信された放送信号を映像に表示可能に処理する映像処理部と；ディスプレイパネル及び前記ディスプレイパネルに光を供給するバックライトユニットを有し、前記映像処理部によって処理される映像を表示するディスプレイ部と；を含み、前記バックライトユニットは、前記ディスプレイパネルの分割された各ディスプレイ領域に光を出射する複数の導光板と；それぞれの前記導光板の側面に入射される前記光を生成し、前記導光板の側面に対応するように配置された複数の光源と；を含み、一つの前記導光板の側面に対応するように配置された複数の光源の中で少なくとも一部の光源による第１発光方向が、前記一つの導光板の側面に対応するように配置された複数の光源の中で残りの少なくとも一部の光源による第２発光方向と異なるように前記複数の光源が配置されたことを特徴とする。
【発明の効果】
【００２８】
本発明によると、全体ディスプレイ領域で輝度の均一性を向上させ、領域輝度制御のような光源技術を具現し、装置のスリム化を実現することができるバックライトユニット及びディスプレイ装置を提供することができる。
【図面の簡単な説明】
【００２９】
【図１】本発明の第１の実施形態によるディスプレイ装置の分解斜視図である。
【図２】図１のディスプレイ装置で導光板及び光源モジュールを示す要部平面図である。
【図３】図２の導光板及び光源モジュールの一部を示す要部斜視図である。
【図４】図１のディスプレイ装置で各光源の発光方向を示す平面図及びこれによる輝度分布を示すグラフである。
【図５】本発明の第２実施形態による各光源の発光方向を示す平面図およびこれによる輝度分布を示すグラフである。
【図６】本発明の第３実施形態による各光源の発光方向を示す平面図である。
【図７】図３とは異なる構成を有する導光板及び光源モジュールの一部を示す要部平面図である。
【図８】本発明の実施形態によるディスプレイ装置の構成ブロック図である。
【発明を実施するための形態】
【００３０】
以下、添付図面を参照して本発明に対して詳細に説明する。
【００３１】
図１は、本発明の第１実施形態によるディスプレイ装置１の概略的な分解斜視図である。図１は、ディスプレイ装置１で本実施形態に関する構成を概略的に示すことで、本発明の思想を明確に表現するため一部の構成に対しては省略されている。例えば、本発明の一実施形態によるディスプレイ装置１は、テレビジョンや、パソコンのモニターなどで具現され、放送信号を受信するチューナ部と、パソコン、ＤＶＤなどの映像器機から映像信号が入力される信号入力部と、受信される信号に対して様々な信号処理を行う信号処理部と、ユーザーの入力を受信するユーザー入力部と、それぞれの構成に電力を供給する電源部と、等を含む。
【００３２】
図１に示すように、本実施形態によるディスプレイ装置１は、画像が表示されるディスプレイパネル１０と、ディスプレイパネル１０を駆動させる駆動回路基板２０と、画像が表示されるようにディスプレイパネル１０に光を生成及び供給するバックライトユニット３０と、を含む。
【００３３】
図１に示す各方向に対して説明する。Ｘ、Ｙ、Ｚの方向は、基本的にそれぞれ縦、横、高さを示す。ディスプレイパネル１０は、Ｘ−Ｙ平面上に配置され、バックライトユニット３０及びディスプレイパネル１０がＺ方向に沿って積層されるように配置される。以下、図１を含む各図面及び実施形態ではこのような方向定義に基づいて説明する。ここで、Ｘ、Ｙ、Ｚ方向の反対方向は、それぞれ−Ｘ、−Ｙ、−Ｚ方向に示され、Ｘ−Ｙ平面はＸ方向の軸及びＹ方向の軸によって形成される平面を意味する。
【００３４】
以下、ディスプレイ装置１のそれぞれの構成要素に対して説明する。
【００３５】
ディスプレイパネル１０は、本実施形態によると液晶パネルで具現される。ディスプレイパネル１０は、二つの基板（図示せず）の間に液晶層（図示せず）が充填され、この液晶層（図示せず）の配列を調節することによって画像を示す。ディスプレイパネル１０は、ディスプレイ領域に画像を表示するためバックライトユニット３０から光が提供される。ここで、ディスプレイ領域はＸ−Ｙ平面と平行である。
【００３６】
駆動回路基板２０は、ディスプレイパネル１０の一側に電気的に連結され、ディスプレイパネル１０に駆動信号を引加する。駆動回路基板２０から駆動信号が引加されれば、ディスプレイパネル１０の液晶（図示せず）が所定の角度に回転する。これによって、ディスプレイパネル１０のディスプレイ領域を構成するそれぞれのセル（図示せず）単位に光の透過特性が異なって、これによってディスプレイ領域に画像が表示されることができる。
【００３７】
バックライトユニット３０は、ディスプレイパネル１０に光を供給するように、ディスプレイパネル１０の背面に配置される。バックライトユニット３０は、ディスプレイパネル１０のディスプレイ領域に光を出射する複数の導光板１００と、光を生成して複数の導光板１００に入射させる複数の光源モジュール２００と、複数の導光板１００から出射される光の特性を調整する光学シート類３００と、を含む。
【００３８】
複数の導光板１００は、アクリル射出物などで具現されたプラスチック成型レンズとして、光源モジュール２００から入射される光をディスプレイパネル１０の全体ディスプレイ領域に均一に伝達する。図１に示すように、複数の導光板１００それぞれは、Ｘ方向に延長された長方形の形状を有するが、これらの個数、形状、延長方向などが本発明の思想を限定することではない。
【００３９】
複数の導光板１００は、表面上に光透過パターンが形成されることにより、複数の導光板１００から出射される光の均一性を向上させ、出射光量を調節することができる。即ち、光透過パターンをどのように形成するのかによって、各導光板１００から出射される光量が異なることができる。
【００４０】
複数の導光板１００は、Ｘ−Ｙ平面上に並列的に配置され、ディスプレイパネル１０のディスプレイ領域に対して光をＺ方向に出射する。
【００４１】
本実施形態によると、Ｘ方向をディスプレイ領域の横方向、Ｙ方向をディスプレイ領域の縦方向とすれば、ディスプレイ領域の横方向と縦方向の全てに対して導光板１００が複数にアレイ（ａｒｒａｙ）配列される。しかし、これは複数の導光板１００を配置する位置例に過ぎず、このような配置関係が本発明の思想を限定することではない。
【００４２】
複数の光源モジュール２００は、ディスプレイパネル１０に提供するための光を生成し、複数の光源モジュール２００それぞれは、生成した光が各導光板１００に入射されるように各導光板１００の側面に近接に配置される。複数の光源モジュール２００は、複数の導光板１００に対応して配列されることができる。即ち、複数の光源モジュール２００は、複数の導光板１００のようにＸ方向に従って配置される。また、本実施形態で光源モジュール２００は、Ｙ方向に従って隣接するように配列された一対の導光板１００の間及び／又はＹ方向の最外殻に配列された導光板１００の一側面に配置される。
【００４３】
光源モジュール２００から生成された光は、Ｘ−Ｙ平面に平行な方向に各導光板１００に入射された後、各導光板１００からＺ方向に出射されてディスプレイパネル１０に入射される。駆動回路基板２０によって駆動されたディスプレイパネル１０は、この入射された光によってＸ−Ｙ平面に平行なディスプレイ領域上に画像を形成することができる。
【００４４】
以下、光源モジュール２００及び導光板１００に対して図２を参照しながらさらに詳しく説明する。図２は、図１で導光板１００及び光源モジュール２００を−Ｚ方向に見たことを示す要部平面図である。
【００４５】
図２に示すように、本実施形態は、ディスプレイ領域のＸ方向幅を２分割する所定のＣＸラインを中心として、左側ディスプレイ領域Ｌと右側ディスプレイ領域Ｒとに分かれる。
【００４６】
複数の導光板１００は、この左側領域Ｌ及び右側領域Ｒのそれぞれで、Ｙ方向に従ってアレイ配列される。光源モジュール２００は、互いに隣接する導光板１００の間にＸ方向に従って延長される。ＣＸラインを中心として、導光板１００及び光源モジュール２００の配置は、左側領域Ｌ及び右側領域Ｒが対称的に形成される。
【００４７】
光源モジュール２００は、導光板１００の側面に従ってＸ方向に直列配置された複数の光源２１０と、この複数の光源がマウンティング（ｍｏｕｎｔｉｎｇ）される光源モジュール基板２２０と、光源２１０に電源を供給するように光源モジュール基板２２０に設けられる電源入力部２３０を含む。また、各光源の点滅を制御するように、光源モジュール基板２２０に連結された制御部２４０がさらに備わることができる。本実施形態では、制御部２４０が別途の構成要素として光源モジュール基板２２０上にマウンティングされた各光源２１０を制御することについて表現したが、本発明の思想はこれに限られず、制御部２４０が光源モジュール基板２２０に一体型で統合構成されることもできる。
【００４８】
光源２１０は、本実施形態によると、発光ダイオード素子（ＬＥＤ、Ｌｉｇｈｔ  Ｅｍｉｔｔｉｎｇ  Ｄｉｏｄｅｓ）で具現され、制御部２４０によって点滅される。光源２１０は、光源モジュール基板２２０にマウンティングされる形態に従って発光方向を調節することができる。
【００４９】
一つの光源モジュール基板２２０にマウンティングされる光源２１０は、青色ＬＥＤ、緑色ＬＥＤ及び赤色ＬＥＤを含むことができる。また、各カラーのＬＥＤから放出される青色光、緑色光及び赤色光が相互に混色されることによって、優秀なカラー再現性を有する白色光を形成することができる。しかし、これは実施形態に限られず、光源２１０は白色光を直接に生成する白色ＬＥＤを含むこともできる。
【００５０】
制御部２４０は、光源モジュール基板２２０にマウンティングされた各光源２１０の個別的または統合的な点滅制御を行う。光源モジュール基板２２０にマウンティングされた複数の光源２１０は、その配置順番、即ち、Ｘ方向に従って互いに隣接する複数の光源２１０をそれぞれ含む複数の光源２１０ブロック、即ち、複数の光源２１０は、少なくとも一つ以上の光源２１０を単位にする複数の光源２１０グループを形成することができる。制御部２４０は、各光源２１０ブロック別に輝度が調節されるように各光源２１０ブロックの点滅を個別的に制御することによって、領域輝度制御（Ｌｏｃａｌ  Ｄｉｍｍｉｎｇ）を具現することができる。勿論、光源モジュール基板２２０は、光源一つ一つの個別的な点滅を制御することもできる。
【００５１】
領域輝度制御は、ディスプレイパネル１０のディスプレイ領域の複数に分割し、各分割ディスプレイ領域のグレーレベル値に従って、該当分割ディスプレイ領域の輝度値を個別的に調節するバックライトユニット３０の駆動技術である。即ち、制御部２４０は、表示画像の明るい領域に対応する光源２１０ブロックをターンオンさせ、表示画像の暗い領域に対応する光源２１０ブロックを相対的に低い輝度にターンオンさせたり又はターンオフさせることができる。従って、光源２１０に対する電源のターンオフによるエネルギー節減と、輝度の高い画像領域と輝度の低い画像領域との間に輝度差を明確にして画像の鮮明度を向上させることができる。
【００５２】
電源入力部２３０は、光源モジュール基板２２０の一端部に設けられ、光源モジュール基板２２０上にマウンティングされた複数の光源２１０に対して電源が供給されるようにする。電源入力部２３０は、ディスプレイ装置１の電源供給部（図示せず）から電源が入力され、このような電源入力が干渉うけないように電源入力部２３０は、全体バックライトユニット３０の最外殻の領域に設けられる。
【００５３】
図２で、電源入力部２３０は、左側領域Ｌの場合に−Ｘ方向の最外殻の領域に、右側領域Ｒの場合にＸ方向の最外殻にそれぞれ配置される。これによって、電源入力部２３０は、導光板１００、光源２１０の構成及び光の経路を邪魔しないように構成される。
【００５４】
以下、光源２１０で生成される光が導光板１００に入射される形態に対して、図３を参照しえて説明する。図３は、図２で左側領域Ｌの導光板１００及び光源モジュール２００の配置形態を示す要部斜視図である。図３では、導光板１００及び光源モジュール２００の間の距離が広く配置されて表現されたが、これは図面上でそれぞれの構成要素を明確に示すための便宜的な選択なのを明らかにする。
【００５５】
図３に示すように、ＣＸラインの左側領域Ｌには、Ｙ方向に従って第１導光板１００ａ及び第２導光板１００ｂが配置される。第１導光板１００ａ及び第２導光板１００ｂは、それぞれＸ方向に従って延長された第１側面１００ａ及び第２側面１１０ｂを有し、この第１側面１００ａ及び第２側面１００ｂは、互いに対向するように配置される。
【００５６】
この対向する第１側面１１０ａ及び第２側面１１０ｂの間には、光源モジュール基板２２０が配置され、複数の光源２１０がＸ方向に従って直列に配置される。
【００５７】
ここで、光源２１０が光源モジュール基板２２０にマウンティングされる形態によって、光源２１０の発光方向は、−Ｙ方向に向かったりＹ方向に向かったりする。−Ｙ方向に向かう光は第１側面１１０ａを通じて第１導光板１００ａに入射され、Ｙ方向に向かう光は第２側面１１０ｂを通じて第２導光板１００ｂに入射される。
【００５８】
本実施形態によると、バックライトユニット３０が含む複数の光源２１０の中で、少なくとも一部光源２１０の第１発光方向が、残りの少なくとも一部光源２１０の第２発光方向と異なるように各光源２１０を配置する。これによって、全体ディスプレイ領域での輝度の均一性を向上させることができる。
【００５９】
ここで、第１発光方向に光を出射する光源２１０及び第２発光方向に光を出射する光源２１０は、同一の光源モジュール２００に含まれることができる。または、一つの光源モジュール２００に含まれる光源２１０は、同一の発光方向を有し、各光源モジュール別２００に発光方向が異なるように設けられることもできる。
【００６０】
以下、本実施形態に従って、光源２１０を配置する方法に対して図２を参照して説明する。図４は、本実施形態による各光源２１０の発光方向を示す平面図及びこれによる輝度分布を示すグラフである。
【００６１】
図４で、右側の平面図は、図１の導光板１００及び光源の構成を−Ｚ方向に見たことで、本発明を明確にするために光源モジュール基板２２０及び電源入力部２３０の構成は図示しないのを明らかにする。左側のグラフのカーブＣ１は、導光板１００及び光源２１０の構成のＹ方向の長さによるディスプレイ領域の輝度変化を示すことで、グラフの縦軸はグラフ右側に示す導光板１００及び光源２１０構成のＹ方向位置に対応し、横軸は輝度である。
【００６２】
図４に示すように、ＣＸラインを中心として左側領域Ｌ及び右側領域のそれぞれに導光板１００及び光源２１０が配置されている。配置形態は、前述した導光板１００及び光源２１０の構成による。複数の導光板１００は、ディスプレイ領域に対応する。
【００６３】
ＣＸラインに対して９０度の角度差を有し、ディスプレイ領域のＹ方向の幅を２分割する所定のＣＹラインが示されている。
【００６４】
本実施形態による複数の光源２１０は、それぞれの発光方向がＣＹラインを中心として互いに対向するように配置される。即ち、各光源２１０の発光方向がＣＹラインを中心として対称的に形成され、ＣＸラインを中心とする左側領域Ｌの光源２１０と右側領域Ｒの光源２１０は、互いに同一の発光方向を有する。また、この場合、一つの光源モジュール２００に含まれる光源２１０は、同一の発光方向を有することを分かることができる。
【００６５】
このような構成によって、全体ディスプレイ領域の輝度は、カーブＣ１で示されるようにＣＹラインを中心として一番高くなり、ＣＹラインからＹ方向または−Ｙ方向に行けば行くほど輝度が低下されることを分かることができる。
【００６６】
もし、図面に示す全ての光源２１０が同一の方向、例えば、Ｙ方向に向かうとすれば、この場合、カーブＣ１は、ディスプレイ領域の上側端からＹ方向に従って急激に上昇し、輝度はディスプレイ領域の下側端で最高点を形成する。このように、ディスプレイパネル１０の端部で輝度が一番高ければ、視認性が低下され、ユーザーに安定感を与えることができない。
【００６７】
また、このような場合、導光板１００のＹ方向の配置順番に従って光量を調節しなければならないので、導光板１００の位置に従って導光板１００に光透過パターンを異なるように適用する必要がある。これは導光板１００の製造設備を増加させる原因になる。
【００６８】
本実施形態によると、前記のような全ての光源２１０が同一の発光方向を有する場合に比べて、カーブＣ１の勾配、即ち輝度の分布勾配を緩やかにし、輝度の最高点がＣＹライン、即ちディスプレイ領域の中央領域に形成される。輝度の最高点がディスプレイ領域の中央領域に位置すれば、ディスプレイ領域の端部に輝度最高点がある場合に比べて視認性が改善され、ユーザーに安定感を与えることができる。また、導光板１００のパターンの種類を相対的に低減させることができる。
【００６９】
一方、ＣＹラインを中心として上側の光源２１０と下側の光源２１０のそれぞれの発光方向が、図４とは異なるように対向しなく背向する場合に対しても考慮することができる。この場合も、全ての光源２１０が同一の発光方向を有する場合に比べて、輝度の分布勾配を緩やかにすることができるし、これによるディスプレイ領域に対する輝度の均一化向上を期待することができる。
【００７０】
ただ、この場合は、輝度の最高点がＣＹラインではないディスプレイ領域のＹ方向端部及び−Ｙ方向端部に形成されるので、視認性の側面でも図４の場合が相対的に優秀だと見ることができる。
【００７１】
このように、本実施形態によると、各光源２１０の発光方向を異なるように配置することによって、ディスプレイ領域の輝度の均一化を向上させることができる。
【００７２】
一方、前述した第１実施形態は、光源モジュール２００、光源モジュール基板２２０を左側領域Ｌ及び右側領域Ｒにそれぞれ異なるように設計する。図４に示すように、左側領域Ｌ及び右側領域Ｒの光源２１０は、互いに同一の発光方向を有するので、左側領域Ｌの光源モジュール２００を右側領域Ｒに適用すれば、電源入力部２３０の配置によって発光方向が反対になる。従って、光源モジュール２００を左側領域Ｌ及び右側領域Ｒに共通的に適用することができない。
【００７３】
従って、光源モジュール２００を共用化し、また第１実施形態の場合よりもディスプレイ領域の輝度分布の勾配を緩やかにすることができれば、さらに好ましい。
【００７４】
以下、このような構成を第２実施形態として、図５を参照しながら説明する。図５は、光源２１０の発光方向が第１実施形態と異なるように構成された例示を示す平面図及びこれに対する輝度分布のグラフである。図５に示す方向、ライン、構成などに関する基本的な説明は、第１実施形態を準用することができるので、詳細な説明は省略する。
【００７５】
図５に示すように、まず左側領域Ｌを考慮すれば、Ｘ方向に従って配置された各光源２１０は、隣接する他の光源２１０と異なる発光方向を有するように配置される。即ち、一つの光源モジュール２００内の各光源２１０は、所定の第１発光方向及びこれと異なる第２発光方向の中でいずれか一つを有するように、詳しくは、その配置順番に従ってＹ方向または−Ｙ方向に向いて発光するように選択的に配置される。これによって、Ｙ方向に従って配置された光源２１０は、隣接する光源２１０列と反対方向に発光するので、右側領域Ｌ全体で見るとジグザグ形態に発光方向を形成する。
【００７６】
要するに、一つの光源モジュール２００内の各光源２１０は、少なくとも一つ以上の光源を単位に配置順番に従って発光方向が交代で反対になるように配置される。
【００７７】
一方、右側領域Ｒも左側領域Ｌの場合と同一に、ジグザグ形態に発光方向が形成される。ここで、光源モジュール２００に含まれる各光源２１０は、その配置順番に従って反対方向に発光するように配置される。従って、左側領域Ｌの光源モジュール２００をＺ方向を中心として１８０度回転させて右側領域Ｒに適用すれば、右側領域Ｒもジグザグ形態の発光方向を形成することができる。
【００７８】
即ち、本実施形態は、第１実施形態とは異なるように、光源モジュール２００及び光源モジュール基板２２０を左側領域Ｌ及び右側領域Ｒのそれぞれに対して同一の構成を適用することができるので、左側領域Ｌ及び右側領域Ｒのそれぞれに対して別度の光源モジュール２００を構成する必要がない。
【００７９】
左側のグラフでカーブＣ１は、図４のカーブＣ１と同一で、カーブＣ２は、本実施形態による輝度分布の勾配を示す。カーブＣ２は、ＣＹラインで輝度が一番高く示される点でカーブＣ１と同一であるが、カーブＣ１に比べて勾配が緩やかなのを分かることができる。
【００８０】
即ち、第２実施形態は、第１実施形態に比べて、全体ディスプレイ領域に対する輝度分布が等しくなっているので、輝度の均一化が向上される。
【００８１】
このように、一つの光源モジュール２００は、一つの導光板１００の側面に対応するように配置される複数の光源２１０を含み、この複数の光源２１０の中で少なくとも一部の第１発光方向と、この複数の光源２１０の中で残りの少なくとも一部の第２発光方向が異なるように配置されるので、全体ディスプレイ領域に対する輝度の均一化を向上させることができる。
【００８２】
一方、前述した第２実施形態では、いずれか一つの光源２１０が隣接する光源２１０と反対の発光方向を有することについて表現したが、本発明の思想はこれに限られない。従って、光源２１０の発光方向に対する構成が第２実施形態と異なる場合を第３実施形態として、これに対して図６を参照しながら説明する。図６は、第３実施形態による光源２１０の発光方向を示す平面図である。
【００８３】
図６に示すように、各導光板１００の側面に従って、複数の光源２１０がＸ方向に直列配置される。このような配置順番に従って互いに隣接する一つ以上の光源２１０が光源２１０ブロックを形成することができる。本実施形態によると、互いに隣接する二つの光源２１０が一つの光源２１０ブロックを形成するが、これに限られず必要に従って三つ以上の光源２１０が一つの光源２１０ブロックを形成することもできる。
【００８４】
互いに隣接する各光源２１０ブロックは、互いに異なる発光方向、即ちＹ方向または−Ｙ方向に発光するように配置される。図面に示すように、Ｙ方向に従って配置された最初の二つの光源２１０列がＹ方向に、次の二つの光源２１０列が−Ｙ方向に発光し、このような光源２１０列の配置がＸ方向に従って繰返されることを分かることができる。このような構成によって、前述した実施形態のようにディスプレイ領域の輝度均一化の向上を期待することができる。
【００８５】
以上、いろいろな実施形態によって、ディスプレイ領域の輝度の均一化、視認性の向上及び導光板１００の光透過パターンと光源モジュール２００の種類の節減などを期待することができる。
【００８６】
複数の光源２１０がＹ方向または−方向の異なる発光方向を有することにおいて、Ｙ方向に発光する光源２１０の個数と−Ｙ方向に発光する光源２１０の個数の比率は限られず、多様な比率が適用されることができる。ただ、前者と後者の個数差は、既設定された個数以下であることが輝度均一化の側面で好ましい。もし、この個数差が大きくなれば、いずれか一方の輝度レベルが偏重されて輝度均一化を妨げることもできるからである。
【００８７】
一方、光源モジュール２００の構成は、図３の場合に限られず、多様に具現することができるので、これに対して図７を参照して説明する。
【００８８】
図７は、図３の場合と異なる構成の導光板１００ａ、１００ｂ及び光源モジュール２００ａの一部を示す要部平面図である。図７に示すように、光源モジュール２００ａは、第１導光板１００ａ及び第２導光板１００ｂの間に配置される。ここで、光源モジュール２００ａは、第１導光板１００ａ及び第２導光板１００ｂの側面１１０ａ、１１０ｂにそれぞれ対応する板面２４１ａ、２４１ｂを有する透明基板２４０と、透明基板２４０の各板面２４１ａ、２４１ｂ上に配置された複数の光源２１０ａ、２１０ｂと、を含む。
【００８９】
ここで、第１導光板１００ａの側面１１０ａと第２導光板１００ｂの側面は、互いに対向するように配置される。
【００９０】
透明基板２４０は、光が透過されるように透明な材質で具現される。透明基板２４０は、第１導光板１００ａの側面１１０ａと対向する第１板面２４１ａと、この第１板面２４１ａに背向して第２導光板１００ｂの側面１１０ｂと対向する第２板面２４１ｂと、を有する。また、透明基板２４０は、複数の光源２１０ａ、２１０ｂを駆動する透明な電気配線（図示せず）を有する。この電気配線（図示せず）は、透明基板２４０の内部に形成された透明電極で具現されることができる。
【００９１】
複数の光源２１０ａ、２１０ｂは、透明基板２４０の両板面２４１ａ、２４１ｂ上に直立して装着され、複数の光源２１０ａ、２１０ｂの中で一部２１０ａは、第１板面２４１ａ上に配置され、複数の光源２１０ａ、２１０ｂの中で残り２１０ｂは、第２板面２４１上に配置される。従って、第１板面２４１ａ上の光源２１０ａは、第１導光板１００ａの側面１１０ａに向いて、第２板面２４１ｂ上の光源２１０ｂは、第２導光板１００ｂの側面１１０ｂに向いてそれぞれ発光する。
【００９２】
ここで、Ｘ方向に従って第１板面２４１ａ及び第２板面２４１ｂ上にそれぞれ配置される光源２１０ａ、２１０ｂは、その配置位置が互いに発光方向を干渉しないように行き違って配置される。従って、ディスプレイ領域全体に見る時、Ｙ方向及び−Ｙ方向のそれぞれに進行する光が互いに干渉されることを最小化することができる。
【００９３】
また、前述した実施形態は、多様な形態に具現されるディスプレイ装置１に適用されることができる。以下、ディスプレイ装置１がテレビジョンで具現される場合に本発明の実施形態が適用される例示に対して図８を参照して説明する。
【００９４】
図８は、本発明の実施形態によるディスプレイ装置１の構成ブロック図である。図８で実線は、映像信号または制御信号の伝達、点線は光の伝達を意味する。図８に示すように、本実施形態によるディスプレイ装置１は、映像を受信する映像受信部５０と、映像受信部５０に受信される映像を処理する映像処理部６０と、映像処理部６０によって処理される映像を表示するディスプレイパネル７０と、ディスプレイパネル７０に映像が表示されるように光を供給するバックライトユニット８０と、を含む。
【００９５】
バックライトユニット８０は、ディスプレイパネル７０の分割された各ディスプレイ領域に光を出射する複数の導光板８１と、各導光板８１の側面に入射される光を生成し、各導光板８１の側面に対応するように配置され、複数のグループを形成する複数の光源８３と、各光源８３のグループ別に輝度を調節する制御部８５と、を含む。
【００９６】
映像受信部５０は、次のような様々な規格を有することができる。例えば、ディスプレイ装置１がテレビジョンで具現される場合、映像受信部５０は、放送局（図示せず）から送出されるＲＦ（Ｒａｄｉｏ  Ｆｒｅｑｕｅｎｃｙ）信号を無線で受信したり、またはコンポジット（Ｃｏｍｐｏｓｉｔｅ）ビデオ、コンポーネント（Ｃｏｍｐｏｎｅｎｔ）ビデオ、スーパービデオ（Ｓｕｐｅｒ  Ｖｉｄｅｏ）、ＳＣＡＲＴ、ＨＤＭＩ（ｈｉｇｈ  Ｄｅｆｉｎｉｔｉｏｎ  Ｍｕｌｔｉｍｅｄｉａ  Ｉｎｔｅｒｆａｃｅ）規格などによる映像信号を受信することができる。または、映像受信部５０は、ディスプレイ装置１がコンピュータモニターである場合にＶＧＡ方式によるＲＧＢ信号を伝達することができるＤ−ＳＵＢや、ＤＶＩ（Ｄｉｇｉｔａｌ  Ｉｎｔｅｒａｃｔｉｖｅ）、ＨＤＭＩ規格などの映像信号を受信するように具現することができる。
【００９７】
映像処理部６０は、映像受信部５０から伝達される映像信号に基づいて、既設定された多様な映像処理プロセスを行う。映像処理部６０が行う映像処理プロセスの種類は限定されず、例えば、多様な映像フォマットに対応するデコーディング（Ｄｅｃｏｄｉｎｇ）及びインコーディング（ｅｎｃｏｄｉｎｇ）、デインターレーシング（Ｄｅ−Ｉｎｔｅｒａｃｉｎｇ）、フレームリフレッシュレート（Ｆｒａｍｅ  Ｒｅｆｒｅｓｈ  Ｒａｔｅ）変換、スケーリング（Ｓｃａｌｉｎｇ）、映像画質改善のためのノイズ減少（Ｎｏｉｓｅ  Ｒｅｄｕｃｔｉｏｎ）、ディテールエンハンスメント（Ｄｅｔａｉｌ  Ｅｎｈａｎｃｅｍｅｎｔ）などを含むことができる。
【００９８】
映像処理部６０は、このような各プロセスを独自的に行うことができる個別的な構成で具現されたり、またはいろんな機能を統合した一体型構成で具現されることができる。映像処理部６０は、バックライトユニット８０が領域輝度制御を具現する時、このための映像情報を制御部８５に伝達する。制御部８５は、映像処理部６０から受信した映像情報に基づいて、複数の光源８３グループ別に輝度を調節することによって領域輝度制御を具現することができる。
【００９９】
ディスプレイパネル７０及びバックライトユニット８０と、バックライトユニット８０の下位構成である導光板８１、光源８３及び制御部の構成は、前述した実施形態の構成と実質的に同一なので詳しい説明は省略する。
【０１００】
以上、多様な実施形態を通じて本発明に対して図示し説明したが、本発明はこれに限定されず、本発明の属する技術分野の通常の知識を有する人なら本発明の原則や精神に外れなく本発明の実施形態を変形し得ることを分かることができる。発明の範囲は、特許請求の範囲とその均等物によって定まれる。
【符号の説明】
【０１０１】
１      ディスプレイ装置
１０    ディスプレイパネル
２０    駆動回路基板
３０    バックライト基板
１００  導光板
２００  光源モジュール
２１０  光源
２２０  光源モジュール基板
２３０  電源入力部
【図１】
2011023347.tif 000003
【図２】
2011023347.tif 000004
【図３】
2011023347.tif 000005
【図４】
2011023347.tif 000006
【図５】
2011023347.tif 000007
【図６】
2011023347.tif 000008
【図７】
2011023347.tif 000009
【図８】
2011023347.tif 000010